(57)【要約】【課題】各ユーザのアクセス権に応じてデータをコントロールし、そのデータを各ユーザが発信することで、ユーザ毎の円滑なコミュニケーションを可能とする。【解決手段】表示装置１０と複数の情報端末装置２０（司会者端末装置２０１、ユーザ端末装置２０２）とがネットワークを介して通信を行う複数のユーザが参加する通信方法であって、司会者端末装置２０１は、表示装置１０の表示部１１に表示されるデータを識別するためのデータＩＤ（ＩＤ情報）と、そのデータの所有者であるユーザを示すユーザ情報と、情報端末装置２０を使用するユーザ毎に設定され、そのデータの生成と変更とを許可する否かを示すアクセス権情報とを表示装置１０に送信し、表示装置１０は、ユーザ情報とアクセス権情報とに基づいて、データＩＤ（ＩＤ情報）により識別されるデータを表示部１１に表示する。【選択図】図１１
2011242869.tif 000002
【特許請求の範囲】
【請求項１】
表示装置と複数の情報端末装置とがネットワークを介して通信を行なう複数のユーザが参加する通信方法であって、
前記複数の情報端末装置は、前記表示装置の表示部に表示されるデータを管理する司会者端末装置を有して成り、
前記司会者端末装置は、前記表示装置の前記表示部に表示される前記データを識別するためのＩＤ情報と、前記データの所有者であるユーザを示すユーザ情報と、前記複数の情報端末装置を使用するユーザ毎に設定され、前記データの生成と変更とを許可する否かを示すアクセス権情報とを、前記表示装置に送信し、
前記表示装置は、前記ユーザ情報と前記アクセス権情報とに基づいて、前記ＩＤ情報により識別される前記データを前記表示部に表示することを特徴する通信方法。
【請求項２】
前記複数の情報端末装置は、前記司会者端末装置と、前記データを前記表示装置に送信するユーザ端末装置とを有して成り、
前記司会者端末装置は、前記ユーザ端末装置から送信されて前記表示装置の前記表示部に表示される前記データを識別するためのＩＤ情報と、前記データの所有者であるユーザを示すユーザ情報と、前記複数の情報端末装置を使用するユーザ毎に設定され、前記データの生成と変更とを許可する否かを示すアクセス権情報とを、前記表示装置に送信し、
前記ユーザ端末装置は、前記表示部に表示される前記データと、前記ＩＤ情報と、前記ユーザ情報とを、前記表示装置に送信し、
前記表示装置は、前記ユーザ情報と前記アクセス権情報とに基づいて、前記ＩＤ情報により識別される前記データを前記表示部に表示することを特徴する請求項１に記載の通信方法。
【請求項３】
前記表示装置は、前記アクセス権情報が示す前記データの生成と変更とが許可されたユーザと、前記ユーザ情報が示すユーザとが一致するとき、前記ＩＤ情報により識別される前記データを前記表示部に表示することを特徴する請求項１又は請求項２に記載の通信方法。
【請求項４】
前記司会者端末装置は、前記ＩＤ情報と、前記ユーザ情報と、前記アクセス権情報と、前記表示装置の前記表示部に表示される前記データの表示位置を示す位置情報とを、前記表示装置に送信し、
前記表示装置は、前記アクセス権情報と前記ユーザ情報と前記位置情報とに基づいて、前記ＩＤ情報により識別される前記データを前記表示部に表示することを特徴する請求項１〜請求項３のいずれかに記載の通信方法。
【請求項５】
前記表示装置は、前記ＩＤ情報により識別される前記データを、前記表示部における前記位置情報が示す表示位置に表示することを特徴する請求項４に記載の通信方法。
【請求項６】
複数のユーザが参加する電子会議における通信方法であることを特徴とする請求項１〜請求項５のいずれかに記載の通信方法。
【請求項７】
前記表示装置と前記複数の情報端末装置とが、ＸＭＰＰに準拠した通信を行うことを特徴とする請求項１〜請求項６のいずれかに記載の通信方法。
【請求項８】
前記表示装置と前記複数の情報端末装置とが互いに送受信する情報は、メタ情報を拡張したｈｔｍｌファイルであることを特徴とする請求項７に記載の通信方法。
【請求項９】
前記表示装置と前記複数の情報端末装置とが互いに送受信する情報は、前記表示装置の前記表示部に表示を行うための表示情報を構成する断片情報であることを特徴とする請求項８に記載の通信方法。
【請求項１０】
表示部と、
複数の情報端末装置とネットワークを介して通信を行う通信部と、
を備え、
前記複数の情報端末装置は、前記表示部に表示されるデータを管理する司会者端末装置と、前記データを送信するユーザ端末装置とを有して成り、
前記通信部は、
前記司会者端末装置から、前記ユーザ端末装置から送信されて前記表示部に表示される前記データを識別するためのＩＤ情報と、前記データの所有者を示すユーザ情報と、前記複数の情報端末装置を使用するユーザ毎に設定され、前記データの生成と変更とを許可する否かを示すアクセス権情報とを受信するとともに、
前記ユーザ端末装置から、前記表示部に表示される前記データと、前記ＩＤ情報と、前記データの所有者を示す前記ユーザ情報とを受信し、
前記表示部は、
前記アクセス権情報と前記ユーザ情報とに基づいて、前記ＩＤ情報により識別される前記データを表示することを特徴する表示装置。
【請求項１１】
前記表示部は、前記アクセス権情報が示す前記データの生成と変更とが許可されたユーザと、前記ユーザ情報が示すユーザとが一致するとき、前記ＩＤ情報により識別される前記データを前記表示部に表示することを特徴する請求項１０に記載の表示装置。
【請求項１２】
前記通信部は、
前記司会者端末装置から、前記ＩＤ情報と、前記ユーザ情報と、前記アクセス権情報と、前記表示部に表示される前記データの表示位置を示す位置情報とを受信し、
前記表示部は、
前記アクセス権情報と前記ユーザ情報と前記位置情報とに基づいて、前記ＩＤ情報により識別される前記データを表示することを特徴する請求項１０又は請求項１１に記載の表示装置。
【請求項１３】
前記表示部は、前記位置情報が示す表示位置に前記データを表示することを特徴する請求項１２に記載の表示装置。
【請求項１４】
前記通信部は、前記司会者端末装置及び前記ユーザ端末装置とＸＭＰＰに準拠した通信を行うことを特徴とする請求項１０〜請求項１３のいずれかに記載の表示装置。
【請求項１５】
前記通信部が受信する情報は、メタ情報を拡張したｈｔｍｌファイルであることを特徴とする請求項１４に記載の表示装置。
【請求項１６】
前記通信部が受信する情報は、前記表示部に表示を行うための表示情報を構成する断片情報であることを特徴とする請求項１５に記載の表示装置。
【請求項１７】
表示部を有する表示装置とネットワークを介して通信を行う司会者端末装置であって、
前記表示装置の前記表示部に表示される前記データを識別するためのＩＤ情報と、前記データの所有者を示すユーザ情報と、前記表示装置とネットワークを介して通信を行う情報端末装置を使用するユーザ毎に設定され、前記データの生成と変更とを許可する否かを示すアクセス権情報とを、前記表示装置に送信する通信部を備えることを特徴する司会者端末装置。
【請求項１８】
前記通信部は、前記ＩＤ情報と、前記ユーザ情報と、前記アクセス権情報と、前記表示装置の前記表示部に表示される前記データの表示位置を示す位置情報とを、前記表示装置に送信することを特徴する請求項１７に記載の司会者端末装置。
【請求項１９】
前記表示装置とＸＭＰＰに準拠した通信を行うことを特徴とする請求項１７又は請求項１８に記載の司会者端末装置。
【請求項２０】
前記通信部が送信する情報は、メタ情報を拡張したｈｔｍｌファイルであることを特徴とする請求項１９に記載の司会者端末装置。
【請求項２１】
前記通信部が送信する情報は、前記表示装置の前記表示部に表示を行うための表示情報を構成する断片情報であることを特徴とする請求項２０に記載の司会者端末装置。
【請求項２２】
表示部を有する表示装置とネットワークを介して通信を行なうユーザ端末装置であって、
前記表示部に表示される前記データと、前記データを識別するためのＩＤ情報と、前記データの所有者を示すユーザ情報とを送信する通信部を備えることを特徴とするユーザ端末装置。
【請求項２３】
前記表示装置とＸＭＰＰに準拠した通信を行うことを特徴とする請求項２２に記載のユーザ端末装置。
【請求項２４】
前記通信部が送信する情報は、メタ情報を拡張したｈｔｍｌファイルであることを特徴とする請求項２３に記載のユーザ端末装置。
【請求項２５】
前記通信部が送信する情報は、前記表示装置の前記表示部に表示を行うための表示情報を構成する断片情報であることを特徴とする請求項２４に記載のユーザ端末装置。
【請求項２６】
請求項１０〜請求項１６のいずれかに記載の表示装置と、複数の情報端末装置とが、ネットワークを介して通信を行うマルチユーザ通信システムであって、
前記複数の情報端末装置は、請求項１７〜請求項２１のいずれかに記載の司会者端末装置と、請求項２２〜請求項２５のいずれかに記載のユーザ端末装置とを有して成ることを特徴とするマルチユーザ通信システム。
【請求項２７】
電子会議システムであることを特徴とする請求項２６に記載のマルチユーザ通信システム。
【請求項２８】
前記表示装置と前記複数の情報端末装置とが、ＸＭＰＰに準拠した通信を行うことを特徴とする請求項２６又は請求項２７に記載のマルチユーザ通信システム。
【発明の詳細な説明】
【技術分野】
【０００１】
本発明は、通信方法、表示装置、司会者端末装置、ユーザ端末装置、及びそれらを備えたマルチユーザ通信システムに関する。
【背景技術】
【０００２】
従来、情報端末装置としてのパーソナルコンピュータ同士をネットワークで相互接続し、資料やメモ書きを電子的に共有する電子会議システムが利用されている。例えば、パーソナルコンピュータがネットワークで接続されており、ネットワークを介して資料やその表示ページ位置およびメモ書きといったデータを共有することによって電子的な会議を実現している。
【０００３】
そして、あるパーソナルコンピュータの画面をスクリーンに表示して、ネットワークで相互接続された端末を利用して、議事進行、情報伝達、質疑応答などを行う電子的な会議システムが特許文献１などに開示されている。
【先行技術文献】
【特許文献】
【０００４】
【特許文献１】特開２００２−２１５５５３号公報（特に、図８、図１０〜１２）
【特許文献２】特開２００５−０１１３３３号公報
【特許文献３】特開２０００−１９４８７５号公報
【特許文献４】特開２００５−２２２５３５号公報
【特許文献５】特表２００７−５２４９２９号公報
【発明の概要】
【発明が解決しようとする課題】
【０００５】
例えば、特許文献１に開示された技術では情報共有空間に参加できるユーザに権限を付与して、チャットルームを提供する技術が開示されている。しかしながら、特許文献１で開示された技術では、ＡＰサーバや、ＨＴＴＰサーバ、チャットサーバ、ＡＰサーバ、データベースサーバなど、さまざまサーバを構築し、アクセス権と連携する必要がある。
【０００６】
このため、上記の特許文献に開示された技術では、ユーザに権限を付与してある端末装置やパーソナルコンピュータからの書き込み内容をスクリーンなどの表示画面に表示する場合、様々なサーバを構築して、それらのアクセス権を連携させる必要があるという課題がある。
【０００７】
本発明は、上記問題点に鑑みてされたものであって、その目的は、複数のユーザ毎のアクセス権に応じて情報をコントロールし、複数のユーザ間の円滑なコミュニケーションを可能とする通信方法、表示装置、司会者端末装置、ユーザ端末装置、及びそれらを備えたマルチユーザ通信システムを提供することを目的とする。
【課題を解決するための手段】
【０００８】
上記目標を達成するために本発明の通信方法は、表示装置と複数の情報端末装置とがネットワークを介して通信を行なう複数のユーザが参加する通信方法であって、前記複数の情報端末装置は、前記表示装置の表示部に表示されるデータを管理する司会者端末装置を有して成り、前記司会者端末装置は、前記表示装置の前記表示部に表示される前記データを識別するためのＩＤ情報と、前記データの所有者であるユーザを示すユーザ情報と、前記複数の情報端末装置を使用するユーザ毎に設定され、前記データの生成と変更とを許可する否かを示すアクセス権情報とを、前記表示装置に送信し、前記表示装置は、前記ユーザ情報と前記アクセス権情報とに基づいて、前記ＩＤ情報により識別される前記データを前記表示部に表示することを特徴としている。
【０００９】
上記構成の通信方法によれば、複数のユーザが参加する通信方法であって、表示装置の表示部に表示されるデータを管理する司会者端末装置から、表示部に表示されるデータを識別するためのＩＤ情報と、そのデータの所有者であるユーザを示すユーザ情報と、ユーザ毎に設定され、データの生成と変更とを許可する否かを示すアクセス権情報とが、表示装置に送信される。そして、表示装置は、受信したユーザ情報とアクセス権情報とに基づいて、ＩＤ情報により識別されるデータを表示するか否かを判断して、そのデータを表示部に表示する。従って、データをＩＤ情報によって管理することができるとともに、そのデータに対して、情報端末装置を使用している複数のユーザそれぞれに設定されたアクセス権（すなわち、データの生成や変更が許可されているか否か）に応じて、表示装置の表示部に表示される各データをコントロールすることができる、よって、複数のユーザ間でそれぞれのアクセス権に応じた円滑なコミュニケーションを可能とすることができる。
【００１０】
上記構成の通信方法において、前記複数の情報端末装置は、前記司会者端末装置と、前記データを前記表示装置に送信するユーザ端末装置とを有して成り、前記司会者端末装置は、前記ユーザ端末装置から送信されて前記表示装置の前記表示部に表示される前記データを識別するためのＩＤ情報と、前記データの所有者であるユーザを示すユーザ情報と、前記複数の情報端末装置を使用するユーザ毎に設定され、前記データの生成と変更とを許可する否かを示すアクセス権情報とを、前記表示装置に送信し、前記ユーザ端末装置は、前記表示部に表示される前記データと、前記ＩＤ情報と、前記ユーザ情報とを、前記表示装置に送信し、前記表示装置は、前記ユーザ情報と前記アクセス権情報とに基づいて、前記ＩＤ情報により識別される前記データを前記表示部に表示するものとしてもよい。
【００１１】
このような構成とすることによって、ユーザ端末装置から送信されて表示部に表示される各データをＩＤ情報によって管理することができるとともに、各データに対して、情報端末装置を使用している複数のユーザそれぞれに設定されたアクセス権（すなわち、データの生成や変更が許可されているか否か）に応じて、そのデータをコントロールすることができる、よって、複数のユーザ間でそれぞれのアクセス権に応じた円滑なコミュニケーションを可能とすることができる。
【００１２】
このとき、前記表示装置は、前記アクセス権情報が示す前記データの生成と変更とが許可されたユーザと、前記ユーザ情報が示すユーザとが一致するとき、前記ＩＤ情報により識別される前記データを前記表示部に表示する。このような構成とすることによって、ＩＤ情報により識別されるデータの所有者であるユーザと、そのデータに対するアクセス権（すなわち、データの生成や変更が許可されているか否か）を有するユーザとが一致した場合のみ、そのデータを表示部に表示することができる。よって、複数のユーザ間でそれぞれのアクセス権に応じた円滑なコミュニケーションを可能とすることができる。
【００１３】
また、上記構成の通信方法において、前記司会者端末装置は、前記ＩＤ情報と、前記ユーザ情報と、前記アクセス権情報と、前記表示装置の前記表示部に表示される前記データの表示位置を示す位置情報とを、前記表示装置に送信し、前記表示装置は、前記アクセス権情報と前記ユーザ情報と前記位置情報とに基づいて、前記ＩＤ情報により識別される前記データを前記表示部に表示するものとしてもよい。
【００１４】
このとき、前記表示装置は、前記ＩＤ情報により識別される前記データを、前記表示部における前記位置情報が示す表示位置に表示する。このような構成とすることによって、司会者端末装置を使用しているユーザは、表示装置の表示部に表示される各データの表示位置を確実且つ簡便に管理することができる。
【００１５】
また、上記構成の通信方法において、複数のユーザが参加する電子会議における通信方法であってもよい。このような構成とすることによって、仮想の会議室（すなわち、電子会議システム）にて提示される各発言（データ）をＩＤ情報によって確実且つ容易に管理することができるとともに、仮想の会議室に参加している複数の参加者（ユーザ）それぞれに設定されたアクセス権（すなわち、発言（データ）の提示や修正が許可されているか否か）に応じて、仮想の会議室に提示される発言（データ）をコントロールすることができる、よって、仮想の会議室に参加している複数のユーザは、それぞれのアクセス権に応じた円滑なコミュニケーションを可能とすることができる。
【００１６】
また、上記構成の通信方法において、前記表示装置と前記複数の情報端末装置とが、（eXtensible Messaging and Presence Protocol）に準拠した通信を行うものとしてもよい。なお、ＸＭＰＰとは、ＩＥＴＦ（Internet Engineering Task Force）のＸＭＰＰワーキンググループから独立したＸＳＦ（XMPP Standards Foundation）により規格・標準化が進められているＸＭＬベースのプロトコル（通信規約）であり、インスタントメッセージ、プレゼンス（「相手が今どういう状態にあるのか」）、多人数チャット、音声またはテレビ電話、協調作業、コンテンツ・シンジケーション、ＸＭＬデータの一般化ルーティングなどを含む広範囲のアプリケーションを動的に制御し、インターネットなどの通信システムにおいてリアルタイムなコミュニケーションを行うために、それぞれの目的に応じて規格化された複数の拡張プロトコル（ＸＥＰ：XMPP Extension Protocol）からなっている。
【００１７】
このような構成とすることによって、表示装置と複数の情報端末装置（司会者端末装置、ユーザ端末装置）との間でリアルタイムなメッセージング（情報交換）をすることができるとともに、ＩＤ情報により、ＸＭＰＰによりメッセージングされるデータと表示装置の表示部に表示されるデータとを簡便且つ確実に対応付けることができる。
【００１８】
また、上記構成の通信方法において、前記表示装置と前記複数の情報端末装置とが互いに送受信する情報は、メタ情報を拡張したｈｔｍｌファイルであってもよい。ここで、メタ情報を拡張したｈｔｍｌファイルとは、ＸＭＰＰに準拠した通信に適合するｈｔｍｌ（Hyper Text Markup Language）にて表現し得る形式のデータ（テキストデータ、画像データ、音声データ、動画データなど）を有している。なお、そのほかに、そのデータに関連する情報（属性情報）であるメタ情報を有していてもよい。メタ情報としては、ＩＤ情報やアクセス権情報、ユーザ情報などのＸＭＰＰによるメッセージングに対応する属性情報が含まれる。ここで、このように、メタ情報として、ＸＭＰＰによるメッセージングに対応する属性情報（ＩＤ情報、アクセス権情報、ユーザ情報）を利用することを拡張と呼んでいる。
【００１９】
このような構成とすることによって、ＸＭＰＰに準拠した通信に適合するｈｔｍｌにて表現されたデータであれば、表示装置と複数の情報端末装置との間で、そのｈｔｍｌで表現し得る全ての形式のデータ（テキストデータ、画像データ、音声データ、動画データなど）の送受信を行うことができるとともに、その組み合わせにも制限を受けることがない。
【００２０】
また、上記構成の通信方法において、前記表示装置と前記複数の情報端末装置とが互いに送受信する情報は、前記表示装置の前記表示部に表示を行うための表示情報を構成する断片情報であってもよい。このような構成とすることによって、例えば、複数の情報端末装置（司会者端末装置、ユーザ端末装置）が、表示装置の表示部に表示を行うための表示情報が有する一部の情報を変更しようとするとき、変更された情報を有する断片情報のみを送信すれば、表示装置は、受信した断片情報に基づいて表示部に表示を行うための表示情報を修正することができる。すなわち、表示情報全体を送信する必要がない。従って、複数の情報端末装置（司会者端末装置、ユーザ端末装置）から表示装置に送信する情報をより軽量なものとすることができるので、通信に要する時間を短縮することができるとともに、表示装置と複数の情報端末装置（司会者端末装置、ユーザ端末装置）との間の通信経路にかかる負担を大幅に低減することができる。よって、通信に参加している複数のユーザは、より利便性のよい通信を行うことができる。
【００２１】
また、上記目標を達成するために本発明の表示装置は、表示部と、複数の情報端末装置とネットワークを介して通信を行う通信部と、を備え、前記複数の情報端末装置は、前記表示部に表示されるデータを管理する司会者端末装置と、前記データを送信するユーザ端末装置とを有して成り、前記通信部は、前記司会者端末装置から、前記ユーザ端末装置から送信されて前記表示部に表示される前記データを識別するためのＩＤ情報と、前記データの所有者を示すユーザ情報と、前記複数の情報端末装置を使用するユーザ毎に設定され、前記データの生成と変更とを許可する否かを示すアクセス権情報とを受信するとともに、前記ユーザ端末装置から、前記表示部に表示される前記データと、前記ＩＤ情報と、前記データの所有者を示す前記ユーザ情報とを受信し、前記表示部は、前記アクセス権情報と前記ユーザ情報とに基づいて、前記ＩＤ情報により識別される前記データを表示することを特徴としている。
【００２２】
上記構成の表示装置によれば、表示部に表示されるデータを管理する司会者端末装置から、表示部に表示されるデータを識別するためのＩＤ情報と、そのデータの所有者であるユーザを示すユーザ情報と、ユーザ毎に設定され、データの生成と変更とを許可する否かを示すアクセス権情報とが、表示装置に送信される。そして、表示装置は、受信したユーザ情報とアクセス権情報とに基づいて、ＩＤ情報により識別されるデータを表示するか否かを判断して、そのデータを表示部に表示する。従って、表示部に表示される各データをＩＤ情報によって管理することができるとともに、情報端末装置を使用している複数のユーザそれぞれに設定されたアクセス権（すなわち、データの生成や変更が許可されているか否か）に応じて、表示装置に表示される各データをコントロールすることができる、よって、情報端末装置を使用している複数のユーザは、それぞれのアクセス権に応じた円滑なコミュニケーションを可能とすることができる。
【００２３】
また、上記構成の表示装置において、前記表示部は、前記アクセス権情報が示す前記データの生成と変更とが許可されたユーザと、前記ユーザ情報が示すユーザとが一致するとき、前記ＩＤ情報により識別される前記データを前記表示部に表示してもよい。
【００２４】
このような構成とすることによって、ＩＤ情報により識別されるデータの所有者であるユーザと複数の情報端末装置（司会者端末装置、ユーザ端末装置）を使用している複数のユーザそれぞれに設定されたアクセス権（すなわち、データの生成や変更が許可されているか否か）を有するユーザとが一致した場合のみ、そのデータを表示部に表示することができる。よって、複数の情報端末装置（司会者端末装置、ユーザ端末装置）を使用している複数のユーザは、それぞれのアクセス権に応じた円滑なコミュニケーションを可能とすることができる。
【００２５】
また、上記構成の表示装置において、前記通信部は、前記司会者端末装置から、前記ＩＤ情報と、前記ユーザ情報と、前記アクセス権情報と、前記表示部に表示される前記データの表示位置を示す位置情報とを受信し、前記表示部は、前記アクセス権情報と前記ユーザ情報と前記位置情報とに基づいて、前記ＩＤ情報により識別される前記データを表示するものとしてもよい。
【００２６】
このとき、前記表示部は、前記位置情報が示す表示位置に前記データを表示する。このような構成とすることによって、表示部に表示される各データ司会者端末装置を使用しているユーザにより、表示部に表示される各データの表示位置が適正に管理される。よって、情報端末装置を使用している複数のユーザは、司会者端末装置を使用しているユーザによる管理の下で、円滑なコミュニケーションを可能とすることができる。
【００２７】
また、上記構成の表示装置において、前記通信部は、前記司会者端末装置及び前記ユーザ端末装置とＸＭＰＰに準拠した通信を行うものとしてもよい。このような構成とすることによって、表示装置と複数の情報端末装置（司会者端末装置、ユーザ端末装置）との間でリアルタイムなメッセージング（情報交換）をすることができるとともに、ＩＤ情報によりＸＭＰＰによりメッセージングされたデータと表示装置の表示部に表示されているデータとを簡便に対応付けることができる。
【００２８】
また、上記構成の表示装置において、前記通信部が受信する情報は、メタ情報を拡張したｈｔｍｌファイルであるものとしてもよい。ここで、メタ情報を拡張したｈｔｍｌファイルとは、ＸＭＰＰに準拠した通信に適合するｈｔｍｌ（Hyper Text Markup Language）にて表現し得る形式のデータ（テキストデータ、画像データ、音声データ、動画データなど）と、そのデータに関連する情報（属性情報）であるメタ情報とを有するものであり、そのメタ情報には、ＩＤ情報や位置情報などのＸＭＰＰによるメッセージングに対応する属性情報が含まれる。このように、メタ情報として、ＸＭＰＰによるメッセージングに対応する属性情報（ＩＤ情報、位置情報）を利用することを拡張と呼んでいる。このような構成とすることによって、ＸＭＰＰに準拠した通信に適合するｈｔｍｌにて表現されたデータであれば、表示装置と複数の情報端末装置との間で、そのｈｔｍｌで表現し得る全ての形式のデータ（テキストデータ、画像データ、音声データ、動画データなど）の送受信を行うことができるとともに、その組み合わせにも制限を受けることがない。
【００２９】
また、上記構成の表示装置において、前記通信部が受信する情報は、前記表示部に表示を行うための表示情報を構成する断片情報であるものとしてもよい。このような構成とすることによって、例えば、複数の情報端末装置（司会者端末装置、ユーザ端末装置）から、表示部に表示を行うための表示情報を構成する断片情報を送信すれば、表示装置は、受信した断片情報に基づいて表示部に表示を行うための表示情報を修正することができる。すなわち、表示情報全体を送信する必要がない。従って、複数の情報端末装置（司会者端末装置、ユーザ端末装置）から表示装置に送信する情報をより軽量なものとすることができるので、通信に要する時間を短縮することができるとともに、表示装置と複数の情報端末装置（司会者端末装置、ユーザ端末装置）との間の通信経路にかかる負担を大幅に低減することができる。よって、マルチユーザ通信システムを利用している複数のユーザは、より利便性のよい通信を行うことができる。
【００３０】
また、上記目標を達成するために本発明の司会者端末装置は、表示部を有する表示装置とネットワークを介して通信を行う司会者端末装置であって、前記表示装置の前記表示部に表示される前記データを識別するためのＩＤ情報と、前記データの所有者を示すユーザ情報と、前記表示装置とネットワークを介して通信を行う情報端末装置を使用するユーザ毎に設定され、前記データの生成と変更とを許可する否かを示すアクセス権情報とを、前記表示装置に送信する通信部を備えることを特徴している。
【００３１】
上記構成の司会者端末装置によれば、表示装置の表示部に表示される各データをＩＤ情報によって管理することができるとともに、複数の情報端末装置（司会者端末装置、ユーザ端末装置）を使用している複数のユーザそれぞれに設定されたアクセス権（すなわち、データの生成や変更が許可されているか否か）に応じて、表示装置の表示部に表示される各データをコントロールすることができる、よって、複数の情報端末装置（司会者端末装置、ユーザ端末装置）を使用している複数のユーザ間でそれぞれのアクセス権に応じた円滑なコミュニケーションを可能とすることができる。
【００３２】
また、上記構成の司会者端末装置において、前記通信部は、前記ＩＤ情報と、前記ユーザ情報と、前記アクセス権情報と、前記表示装置の前記表示部に表示される前記データの表示位置を示す位置情報とを、前記表示装置に送信するものとしてもよい。
【００３３】
このような構成とすることによって、ＩＤ情報により識別されるデータの所有者であるユーザと複数の情報端末装置（司会者端末装置、ユーザ端末装置）を使用している複数のユーザそれぞれに設定されたアクセス権（すなわち、データの生成や変更が許可されているか否か）を有するユーザとが一致した場合のみ、そのデータを表示装置の表示部に表示させることができる。よって、情報端末装置（司会者端末装置、ユーザ端末装置）を使用している複数のユーザは、それぞれのアクセス権に応じた円滑なコミュニケーションを可能とすることができる。
【００３４】
また、上記構成の司会者端末装置において、前記表示装置とＸＭＰＰに準拠した通信を行うものとしてもよい。このような構成とすることによって、表示装置との間でリアルタイムなメッセージング（情報交換）をすることができるとともに、ＩＤ情報によりＸＭＰＰによりメッセージングされたデータと表示装置の表示部に表示されているデータとを簡便に対応付けることができる。
【００３５】
また、上記構成の司会者端末装置において、前記通信部が送信する情報は、メタ情報を拡張したｈｔｍｌファイルであるものとしてもよい。このような構成とすることによって、ＸＭＰＰに準拠した通信に適合するｈｔｍｌにて表現されたデータであれば、表示装置と司会者端末装置との間で、そのｈｔｍｌで表現し得る全ての形式のデータ（テキストデータ、画像データ、音声データ、動画データなど）の送受信を行うことができるとともに、その組み合わせにも制限を受けることがない。
【００３６】
また、上記構成の司会者端末装置において、前記通信部が送信する情報は、前記表示装置の前記表示部に表示を行うための表示情報を構成する断片情報であってもよい。このような構成とすることによって、例えば、司会者端末装置から、表示装置の表示部に表示を行うための表示情報を構成する断片情報を送信すれば、表示装置は、受信した断片情報に基づいて表示部に表示を行うための表示情報を修正することができる。すなわち、表示情報全体を送信する必要がない。従って、司会者端末装置から表示装置に送信する情報をより軽量なものとすることができるので、通信に要する時間を短縮することができるとともに、表示装置と複数の情報端末装置（司会者端末装置、ユーザ端末装置）との間の通信経路にかかる負担を大幅に低減することができる。よって、マルチユーザ通信システムを利用している複数のユーザは、より利便性のよい通信を行うことができる。報を構成する断片情報であるものとしてもよい。
【００３７】
また、上記目標を達成するために本発明のユーザ端末装置は、表示部を有する表示装置とネットワークを介して通信を行なうユーザ端末装置であって、前記表示部に表示される前記データと、前記データを識別するためのＩＤ情報と、前記データの所有者を示すユーザ情報とを送信する通信部を備えることを特徴としている。
【００３８】
上記構成のユーザ端末装置によれば、表示装置の表示部に表示される各データをＩＤ情報によって管理することができるとともに、表示装置において、複数の情報端末装置（司会者端末装置、ユーザ端末装置）を使用している複数のユーザそれぞれに設定されたアクセス権（すなわち、データの生成や変更が許可されているか否か）に応じて、表示装置の表示部に表示される各データをコントロールすることができる、よって、複数の情報端末装置（司会者端末装置、ユーザ端末装置）を使用している複数のユーザ間でそれぞれのアクセス権に応じた円滑なコミュニケーションを可能とすることができる。
【００３９】
また、上記構成のユーザ端末装置において、前記表示装置とＸＭＰＰに準拠した通信を行うものとしてもよい。このような構成とすることによって、表示装置との間でリアルタイムなメッセージング（情報交換）をすることができるとともに、ＩＤ情報によりＸＭＰＰによりメッセージングされたデータと表示装置の表示部に表示されているデータとを簡便に対応付けることができる。
【００４０】
また、上記構成のユーザ端末装置において、前記通信部が送信する情報は、メタ情報を拡張したｈｔｍｌファイルであるものとしてもよい。このような構成とすることによって、ＸＭＰＰに準拠した通信に適合するｈｔｍｌにて表現されたデータであれば、表示装置とユーザ端末装置との間で、そのｈｔｍｌで表現し得る全ての形式のデータ（テキストデータ、画像データ、音声データ、動画データなど）の送受信を行うことができるとともに、その組み合わせにも制限を受けることがない。
【００４１】
また、上記構成のユーザ端末装置において、前記通信部が送信する情報は、前記表示装置の前記表示部に表示を行うための表示情報を構成する断片情報であってもよい。このような構成とすることによって、例えば、ユーザ端末装置から、表示装置の表示部に表示を行うための表示情報を構成する断片情報を送信すれば、表示装置は、受信した断片情報に基づいて表示部に表示を行うための表示情報を修正することができる。すなわち、表示情報全体を送信する必要がない。従って、ユーザ端末装置から表示装置に送信する情報をより軽量なものとすることができるので、通信に要する時間を短縮することができるとともに、表示装置と複数の情報端末装置（司会者端末装置、ユーザ端末装置）との間の通信経路にかかる負担を大幅に低減することができる。よって、マルチユーザ通信システムを利用している複数のユーザは、より利便性のよい通信を行うことができる。
【００４２】
また、上記目標を達成するために本発明のマルチユーザ通信システムは、上述の表示装置と、複数の情報端末装置とが、ネットワークを介して通信を行うマルチユーザ通信システムであって、前記複数の情報端末装置は、上述の司会者端末装置と、上述のユーザ端末装置とを有して成ることを特徴としている。
【００４３】
上記構成のマルチユーザ通信システムによれば、表示部に表示されるデータを管理する司会者端末装置から、表示部に表示されるデータを識別するためのＩＤ情報と、そのデータの所有者であるユーザを示すユーザ情報と、ユーザ毎に設定され、データの生成や変更を許可する否かを示すアクセス権情報とが、表示装置に送信される。そして、表示装置は、受信したユーザ情報とアクセス権情報とに基づいて、ＩＤ情報により識別されるデータを表示するか否かを判断して、そのデータを表示部に表示する。従って、表示部に表示される各データをＩＤ情報によって管理することができるとともに、マルチユーザ通信システムを利用している複数のユーザそれぞれに設定されたアクセス権（すなわち、データの生成や変更が許可されているか否か）に応じて、表示装置の表示部に表示される各データをコントロールすることができる、よって、複数のユーザ間でそれぞれのアクセス権に応じた円滑なコミュニケーションを可能とすることができる。
【００４４】
また、上記構成のマルチユーザ通信システムは、電子会議システムであってもよい。このような構成とすることによって、仮想の会議室（すなわち、電子会議システム）にて提示される各発言（データ）をＩＤ情報によって確実且つ容易に管理することができるとともに、仮想の会議室システムに参加している複数の参加者（ユーザ）それぞれに設定されたアクセス権（すなわち、発言（データ）の提示や修正が許可されているか否か）に応じて、仮想の会議室に提示される発言（データ）をコントロールすることができる、よって、仮想の会議室に参加している複数の参加者（ユーザ）は、それぞれのアクセス権に応じた円滑なコミュニケーションを可能とすることができる。
【００４５】
また、上記構成のマルチユーザ通信システムにおいて、前記表示装置と前記複数の情報端末装置とが、ＸＭＰＰに準拠した通信を行うものとしてもよい。このような構成とすることによって、表示装置と複数の情報端末装置（司会者端末装置、ユーザ端末装置）との間でリアルタイムなメッセージング（情報交換）をすることができるとともに、ＩＤ情報によりＸＭＰＰによりメッセージングされたデータと表示装置の表示部に表示されているデータとを簡便に対応付けることができる。
【発明の効果】
【００４６】
本発明によれば、データをＩＤ情報によって管理することができるとともに、そのデータに対して、通信に参加している複数のユーザそれぞれに設定されたアクセス権（すなわち、データの生成や変更が許可されているか否か）に応じて、データをコントロールすることができる、よって、複数のユーザ間で、それぞれのアクセス権に応じた円滑なコミュニケーションを可能とすることができる。
【図面の簡単な説明】
【００４７】
【図１】本発明のマルチユーザ通信システムの一例を示す概念図である。
【図２】本発明の実施形態における電子会議システムの構成を示す構成図である。
【図３】本発明の実施形態における表示装置の構成を示す構成図である。
【図４】本発明の実施形態における情報端末装置の構成を示す構成図である。
【図５】本発明の実施形態における表示情報の構成を示す構成図である。
【図６】本発明の実施形態における表示情報に基づく表示画面を説明するための図である。
【図７】本発明の実施形態における表示情報に基づく実際の表示画面の一例を示す図である。
【図８】本発明の実施形態における表示情報の一例を示す図である。
【図９】本発明の実施形態における電子会議システムにおいて、表示装置が仮想の会議室を開設する手順を説明するための動作図である。
【図１０】本発明の実施形態における情報端末装置が電子会議システムに参加するための手順を説明するための動作図である。
【図１１】本発明の実施形態における情報端末装置から提供される情報が表示画面に表示される手順を説明するための動作図である。
【発明を実施するための形態】
【００４８】
本発明のマルチユーザ通信システムについて、以下に図面を参照して説明する。図１は、本発明のマルチユーザ通信システムの一例を示す概念図である。図に示すように、本発明のマルチユーザ通信システムは、ネットワークを介した通信により、複数のユーザがリアルタイムに会話することができるチャットシステムや、仮想の会議室に参加している複数のユーザが議論や意見の提示をすることができる電子会議システムなどに利用することができる。以下では、電子会議システム１を例として説明する。
【００４９】
図２は、本発明の実施形態における電子会議システムの構成を示す構成図である。図２に示すように、電子会議システム１は、表示装置１０と、複数の情報端末装置２０（２０１、２０２Ｇ、２０２ａ、２０２ｂ）とが、ネットワークを介して通信を行っている。ここで、各情報端末装置２０間の情報伝送手段は、相互に通信可能な通信媒体であればよく、ＬＡＮやＷＡＮ、インターネットなどが挙げられる。
【００５０】
また、電子会議システム１は、後述するＸＭＰＰ（eXtensible Messaging and Presence Protocol）を利用して構築され、表示装置１０と複数の情報端末装置２０が、ネットワークを介して、ＸＭＰＰに準拠した通信を行うものとすることができる。このようにすれば、表示装置１０と複数の情報端末装置２０との間の通信において、リアルタイムなメッセージング（情報交換）をすることができる。以下では、電子会議システム１がＸＭＰＰに準拠した通信を行うものとして説明を行う。
【００５１】
ここで、本実施形態の電子会議システム１にて利用されるＸＭＰＰについて説明しておく。ＸＭＰＰとは、ＩＥＴＦ（Internet Engineering Task Force）のＸＭＰＰワーキンググループから独立したＸＳＦ（XMPP Standards Foundation）により規格・標準化が進められているＸＭＬベースのプロトコル（通信規約）であり、インスタントメッセージ、プレゼンス（「相手が今どういう状態にあるのか」）、多人数チャット、音声またはテレビ電話、協調作業、コンテンツ・シンジケーション、ＸＭＬデータの一般化ルーティングなどを含む広範囲のアプリケーションを動的に制御し、インターネットなどの通信システムにおいてリアルタイムなコミュニケーションを行うために、それぞれの目的に応じて規格化された複数の拡張プロトコル（ＸＥＰ：XMPP Extension Protocol）からなっている。
【００５２】
次に、本実施形態の電子会議システム１は、ＸＭＰＰに規定されている様々なプロトコル（通信規約）を利用している。ここで、本実施形態の電子会議システム１を理解する上で、重要なプロトコルであるＸＥＰ−００４５（Ｍｕｌｔｉ−Ｕｓｅｒ  Ｃｈａｔ）、ＸＥＰ−００７１（ＸＨＴＭＬ−ＩＭ）について説明しておく。
【００５３】
ＸＥＰ−００４５（Ｍｕｌｔｉ−Ｕｓｅｒ  Ｃｈａｔ）は、ネットワーク上の仮想的な空間における特定のコミュニティ（チャットルーム）内で複数のＸＭＰＰユーザがメッセージを交換できるマルチユーザチャット機能を規定しているプロトコル（通信規約）である。また、このプロトコルでは、チャットルームのトピックやチャットルームへの招待といった標準的なチャット機能に加えて、ユーザをキック（強制退去）やバン（追放）する機能や、チャットルームの利用者に対して後述するロール（role）及びアフィリエイション（affiliation）を任命する機能などによりチャットルームを制御するモデルを規定している。
【００５４】
ここで、ロールとは、チャットを利用している利用者に与えられる一時的なポジション又は特権レベルである。ＸＥＰ−００４５（Ｍｕｌｔｉ−Ｕｓｅｒ  Ｃｈａｔ）では、ユーザのキックやその発言の削除などができる「司会者」（moderator）、発言権をもつ「参加者」（participant）及び発言権のない「訪問者」（visitor）などが規定されている。また、アフィリエイションは、チャット利用後も永続的に有効なものとして利用者に与えられるものである。ＸＥＰ−００４５（Ｍｕｌｔｉ−Ｕｓｅｒ  Ｃｈａｔ）では、チャットルームを開設した「所有者」（owner）、チャットルームを管理・運営する「管理者」（administer）、その他の利用者である「会員」（member）、及びキックされてチャットルームへの再入室が許可されない「追放者」（outcast）などが規定されている。
【００５５】
また、ＸＥＰ−００７１（Ｘｈｔｍｌ−ＩＭ）は、ｈｔｍｌのサブセットを用いた軽量なテキストのマークアップ（タグ付け）を含むインスタントメッセージの交換に関して規定しているプロトコル（通信規約）である。このプロトコルにより、インスタントメッセージの利用に適した一般的に使用されるｈｔｍｌ要素、属性、スタイルのプロパティの狭い範囲を利用したメッセージのフォーマットを設定することができる。
【００５６】
本実施携態の電子会議システム１は、上述のようなＸＭＰＰのプロトコル（通信規約）、特に、ＸＥＰ−００４５（Ｍｕｌｔｉ−Ｕｓｅｒ  Ｃｈａｔ）に準拠したマルチユーザチャット機能（以下、ＭＵＣ機能と呼ぶ。）などを利用して運営されている。また、このＭＵＣ機能は、後述するように表示装置１０により提供されている。
【００５７】
また、電子会議システム１における表示装置１０と情報端末装置２０は、ＸＭＰＰのプロトコル（通信規約）であるＸＥＰ−００７１（ＸＨＴＭＬ−ＩＭ）をさらに拡張したプロトコルに準拠して、情報の送受信を行っている。このため、後述する拡張属性情報を有する情報の送受信を行うこともできる。
【００５８】
次に、本実施形態における電子会議システム１が有する表示装置１０及び情報端末装置２０の具体的な構成について、図を参照して詳細に説明する。
【００５９】
図３は、本実施形態における表示装置の構成を示す構成図である。表示装置１０は、電子会議システム１が有する複数の情報端末装置２０とネットワークを介して通信を行う表示装置であって、ＸＭＰＰに準拠した通信を行うことができる。また、表示装置１０は、電子会議システム１での議事などを表示するための表示情報として後述するＤＯＭ（Document Object Model）の利用が可能であり、表示情報に基づく表示を行う表示部１１と、情報端末装置２０に対して情報の送受信を行う通信部１２と、通信部１２が送受信する情報や表示情報）を記憶する記憶部１３と、表示部１１、通信部１２における送受信動作や記憶部１３における情報の記憶や読み出し動作などを制御する制御部１４と、を備えている。また、記憶部１３は、電子会議システム１において各情報端末装置２０が利用可能な情報サービスの表示情報を記憶している。また、制御部１４は、必要に応じて、表示情報の編集や再構成、表示情報に含まれる情報（後述するデータＩＤ（ＩＤ情報）、アクセス権情報、ユーザ情報など）の修正、表示情報全体からｈｔｍｌ（Hyper Text Markup Language）で記述された文書を作成することなども行う。
【００６０】
ここで、本実施形態の電子会議システム１の表示装置において利用されるＤＯＭ（Document Object Model）について説明しておく。ＤＯＭとは、ｈｔｍｌとＸＭＬ（eXtensible Markup Language）などのための標準化されたＡＰＩ（Application Program Interface）であり、Ｗ３Ｃ（World Wide Web Consortium）により規定化されている。また、ＤＯＭを利用することにより、プラットフォームや言語に依存せず、プログラムやスクリプトを動的にアクセスし、コンテンツ（テキスト情報、画像情報、音声情報など）やそれらを表示したときの構造（レイアウト）及びスタイルをオブジェクトとして扱うことができ、さらに、Ｊａｖａ（登録商標）Ｓｃｒｉｐｔなどのスプリクト言語などで制御するためのインターフェイスとしても機能する。一般的に、インターネットなどを利用したときに表示されるＷｅｂページやＸＭＬページなどは、ｈｔｍｌやＸＭＬなどで記述された文書であるということができる。
【００６１】
また、図４は、本実施形態における情報端末装置の構成を示す構成図である。情報端末装置２０は、電子会議システム１が有する表示装置１０とネットワークを介して通信を行う情報端末装置であって、ＸＭＰＰに準拠した通信を行うことができる。また、情報端末装置２０は、表示装置１０に対して情報の送受信を行う端末通信部２２と、端末通信部２２が送受信する情報や情報サービスが提供する情報を表示画面に表示させるための表示情報を記憶する端末記憶部２３と、端末通信部２２における送受信動作や端末記憶部２３における情報の記憶や読み出し動作などを制御する端末制御部２４と、ユーザが情報を入力するための端末入力部２５と、を備えている。また、端末制御部２４は、必要に応じて、表示情報の編集や再構成、表示情報に含まれるメタ情報（後述する固有のデータＩＤ（ＩＤ情報）、位置情報など）の作成や修正なども行う。また、さらに、端末通信部２２は表示装置１０から表示情報を受信し、表示情報に基づく表示を行う端末表示部２１を備えるものとしてもよい。この情報端末装置２０の例としては、たとえば、携帯電話機やＰＤＡなどの携帯型端末装置を挙げることができるが、通信機能を有する情報端末装置であれば、これらに限定するものではない。
【００６２】
また、情報端末装置２０には、「司会者」（moderator）及び「参加者」（participant）といった、ＭＵＣ機能を利用して運営されている電子会議における一時的な特権レベルを示すロールが割り当てられている。以下では、仮想の会議室（電子会議システム１）において、「司会者」というロールが与えられた情報端末装置を司会者端末装置２０１とし、「参加者」というロールが与えられた情報端末装置をユーザ端末装置２０２として説明する。司会者端末装置２０１は、電子会議システム１において、表示装置の表示部に表示されるデータを管理する情報端末装置であり、表示装置の表示部に表示させる各データを識別するためのデータＩＤ（ＩＤ情報）や、各情報端末装置２０（すなわち、司会者端末装置２０１、ユーザ端末装置２０２）を使用するユーザ毎にデータの生成と変更とを許可する否かを示すアクセス権、そのデータの所有者となるユーザなどを設定することができ、電子会議システム１内での議事進行や管理を行っている。
【００６３】
また、本実施形態の電子会議システム１では、各情報端末装置２０のアフィリエイションについては言及しないが、「司会者」（moderator）が「所有者」（owner）及び「管理者」（administer）のアフィリエイションを持ち、「参加者」（participant）は「会員」（member）のアフィリエイションを持つものとする。また、「訪問者」（visitor）や「追放者」（outcast）などにはついては言及しない。
【００６４】
次に、電子会議システム１における議事などを表示するための表示情報について説明する。表示情報は、複数のデータがそれぞれ構造的な相関を有して成る構造化された情報である。また、その構造は、特に限定されるものではなく、木構造などをとり得る。このように構造化された情報を構成する個々の情報を、ｈｔｍｌ断片情報と呼ぶこととする。図５は、本発明の実施形態における表示情報の構成を示す構成図である。図に示すように、表示情報は、図５のように、各ｈｔｍｌ断片情報は、ｈｔｍｌ断片情報ｎ０を頂点として、階層的な相関を有している。ここで、このような構造において、あるｈｔｍｌ断片情報に対して１つ上の階層にあるｈｔｍｌ断片情報は親ｈｔｍｌ断片情報と呼び、あるｈｔｍｌ断片情報に対して１つ下の階層にあるｈｔｍｌ断片情報は子ｈｔｍｌ断片情報と呼ぶこととする。
【００６５】
次に、複数のｈｔｍｌ断片情報から構成される表示情報に基づいて表示装置の表示部に表示される表示画面について説明する。図６は、本発明の実施形態における表示情報に基づく表示画面を説明するための図である。また、図７は、本発明の実施形態における表示情報に基づく実際の表示画面の一例を示す図である。図７に示すように、表示部１１の表示画面１１１における各情報表示枠は各ｈｔｍｌ断片情報と対応しており、それぞれのｈｔｍｌ断片情報が有する情報（例えば文字情報、イメージ情報、ビデオ情報、オーディオ情報など）は、対応する情報表示枠内に表示される。
【００６６】
例えば、表示画面１１１において、ｈｔｍｌ断片情報ｎ０が有する情報は情報表示枠Ｎ０内に表示され、ｈｔｍｌ断片情報ｎ０の下の階層のｈｔｍｌ断片情報（子ｈｔｍｌ断片情報）であるｈｔｍｌ断片情報ｎ１、ｎ２、ｎ３が有する情報は、情報表示枠Ｎ０内に配置された情報表示枠Ｎ１、Ｎ２、Ｎ３内にそれぞれ表示される。また、ｈｔｍｌ断片情報ｎ１の子ｈｔｍｌ断片情報であるｈｔｍｌ断片情報ｎ１１、ｎ１２が有する情報は情報表示枠Ｎ１内に配置された情報表示枠Ｎ１１、Ｎ１２内にそれぞれ表示され、ｈｔｍｌ断片情報ｎ２の子ｈｔｍｌ断片情報であるｈｔｍｌ断片情報ｎ２１が有する情報は情報表示枠Ｎ２内に配置された情報表示枠Ｎ２１内に表示され、ｈｔｍｌ断片情報ｎ３の子ｈｔｍｌ断片情報であるｈｔｍｌ断片情報ｎ３１、ｎ３２、ｎ３３が有する情報は情報表示枠Ｎ３内に配置された情報表示枠Ｎ３１、Ｎ３２、Ｎ３３内にそれぞれ表示される。また、ｈｔｍｌ断片情報ｎ１２の子ｈｔｍｌ断片情報であるｈｔｍｌ断片情報ｎ１２１、ｎ１２２が有する情報は情報表示枠Ｎ１２内に配置された情報表示枠Ｎ１２１、Ｎ１２２内にそれぞれ表示される。このように、表示情報に基づく表示部１１の表示画面１１１では、子ｈｔｍｌ断片情報が有する情報は、親ｈｔｍｌ断片情報の情報表示枠内に配置された情報表示枠内に表示される。
【００６７】
また、表示情報を構成する各ｈｔｍｌ断片情報は、それぞれ、表示装置１０の表示部１１に表示させるデータを有している。各ｈｔｍｌ断片情報が有するこのデータは、たとえば、テキスト情報、画像情報、音声情報、動画情報などが挙げられるが、ＸＭＰＰに準拠した通信に適合するｈｔｍｌにて表現されたデータであれば、そのｈｔｍｌで表現し得る全ての形式のデータ（テキストデータ、画像データ、音声データ、動画データなど）の受信することができるとともに、その組み合わせにも制限を受けることがない。
【００６８】
また、各ｈｔｍｌ断片情報は、ｈｔｍｌ断片情報が有するデータ（すなわち、表示装置１０の表示部１１に表示されるデータ）を識別するための固有のデータＩＤ（ＩＤ情報）や、ｈｔｍｌ断片情報が有するデータの所有者であるユーザを示すユーザ情報と、情報端末装置２０（司会者端末装置２０１、ユーザ端末装置２０２）を使用しているユーザ毎に設定されたｈｔｍｌ断片情報に対するアクセス権（すなわち、ｈｔｍｌ断片情報が有するデータの生成や変更などを許可するか否か）を示すアクセス権情報などのｈｔｍｌ断片情報が有するデータに関連する情報であるメタ情報を有している。
【００６９】
各ｈｔｍｌ断片情報は、各情報端末装置を使用するユーザ毎に設定されたそのｈｔｍｌ断片情報が有するデータに対するアクセス権（すなわち、データの生成や変更などが許可されているか否か）を示すアクセス権情報に許可されたユーザのみがアクセスすることができる。アクセス権情報によって、アクセス権が付与されたユーザは、そのｈｔｍｌ断片情報にアクセスして、ｈｔｍｌ断片情報が有するデータやメタ情報の閲覧、その内容の変更や修正などを行うことができる。なお、親ｈｔｍｌ断片情報に対するアクセス権は、子ｈｔｍｌ断片情報にも継承される。すなわち、親ｈｔｍｌ断片情報のアクセス権情報で、アクセス権が付与されなかったユーザは、子ｈｔｍｌ断片情報に対してもアクセス権を有していない。また、親ｈｔｍｌ断片情報のアクセス権情報で、アクセス権が付与されたユーザは、子ｈｔｍｌ断片情報に対してもアクセス権を有していることとなる。
【００７０】
そのほか、各ｈｔｍｌ断片情報は、メタ情報として、ｈｔｍｌ断片情報が有するデータ（すなわち、表示装置１０の表示部１１に表示されるデータ）の表示位置を示す位置情報や、ｈｔｍｌ断片情報が有する情報の生成日時を示す生成日時情報、ｈｔｍｌ断片情報が有する情報の有効期限を示す有効期限情報、及びｈｔｍｌ断片情報が有する情報の内容が変更された最新の日時を示す更新日時情報などを有していてもよい。
【００７１】
図８は、本発明の実施形態におけるｈｔｍｌ文書として表現されたｈｔｍｌ断片情報の一例を示す図である。図８では、本実施形態におけるｈｔｍｌ断片情報のメタ情報として、表示装置１０の表示部１１に表示されるｈｔｍｌ断片情報が有するデータの表示位置を示す位置情報や、ｈｔｍｌ断片情報が有するデータを識別するための固有のデータＩＤ（ＩＤ情報）、ｈｔｍｌ断片情報の生成日時を示す生成日時情報、ｈｔｍｌ断片情報の内容が更新された日時を示す更新日時情報、ｈｔｍｌ断片情報が有するデータの所有者であるユーザを示すユーザ情報、及び、情報端末装置２０（司会者端末装置２０１、ユーザ端末装置２０２）を使用しているユーザ毎に設定されたｈｔｍｌ断片情報に対するアクセス権（すなわち、ｈｔｍｌ断片情報が有するデータの生成や変更などを許可するか否か）を示すアクセス権情報などが含まれている。
【００７２】
ここで、位置情報が示すデータの表示位置は、親ｈｔｍｌ断片情報の情報表示枠内での絶対座標で指定されていてもよいし、親ｈｔｍｌ断片情報の情報表示枠内でその文書フローに合わせて配置されて表示されるものとしてもよい。たとえば、ｈｔｍｌ断片情報が<div>で囲まれて記述されている場合には、親ｈｔｍｌ断片情報の情報表示枠内での絶対座標で表示位置が指定され、ｈｔｍｌ断片情報が<par>で囲まれて記述されている場合には、親ｈｔｍｌ断片情報の情報表示枠内でその文書フローに合わせて配置されて表示されるものとしてもよい。
【００７３】
また、各ｈｔｍｌ断片情報のメタ情報が有するユーザ情報は、そのｈｔｍｌ断片情報の所有者を示すものであってもよく、そのユーザ情報が示すユーザは、そのｈｔｍｌ断片情報に対して、子ｈｔｍｌ断片情報の生成や削除をすることができるものとしてもよい。
【００７４】
次に、本実施形態の電子会議システム１の具体的な動作について説明する。図９は、本発明の実施形態における電子会議システムにおいて、表示装置が仮想の会議室を開設する手順を説明するための動作図である。ここでは、表示装置１０は、司会者端末装置２０１との間にＭＵＣ機能を利用した電子会議システム１を確立する。
【００７５】
ステップＳ１０１では、電子会議システム１の司会者端末装置２０１が、表示装置１０に、仮想の会議室（チャットルーム）の開設を要求する旨を送信する。
【００７６】
ステップＳ１０２では、表示装置１０が、司会者端末装置２０１から確かに要求を受け取った旨の通知を発行する。
【００７７】
ステップＳ１０３では、司会者端末装置２０１が、表示装置１０へ仮想の会議室を開設するための設定情報を作成する旨を通知する。
【００７８】
ステップＳ１０４では、表示装置１０が、司会者端末装置２０１へ設定情報を作成するためのデータフォーム情報を送信する。
【００７９】
ステップＳ１０５では、司会者端末装置２０１が、表示装置１０から受信したデータフォーム情報に基づき、仮想の会議室を開設するための設定情報を作成し、作成した設定情報を表示装置１０へ送信する。
【００８０】
ステップＳ１０６では、表示装置１０が、司会者端末装置２０１へ設定情報を確かに受け取った旨の通知を行う。
【００８１】
このように、表示装置１０と司会者端末装置２０１との間に電子会議システム１が確立されることにより、情報端末装置２０を使用する複数のユーザが参加することができる仮想の会議室が開設される。
【００８２】
次に、開設された仮想の会議室（電子会議システム１）にユーザ端末装置２０２が参加する手順について説明する。図１０は、本発明の実施形態における情報端末装置が電子会議システムに参加するための手順を説明するための動作図である。ここでは、たとえば、ユーザ端末装置２０２Ｇが、仮想の会議室（すなわち、電子会議システム１）に参加する手順を説明する。なお、以下では、ユーザ端末装置２０２Ｇをユーザ端末装置Ｇと呼ぶ。
【００８３】
ステップＳ２０１において、ユーザ端末装置Ｇ（２０２Ｇ）は、ＸＭＰＰのプロトコル（通信規約）であるＸＥＰ−００３０（Ｓｅｒｖｉｃｅ  Ｄｉｓｃｏｖｅｒｙ）（以下、ＤＩＳＣＯと呼ぶ。）を利用して、表示装置１０が開設した仮想の会議室（電子会議システム１）を検索する。これにより、ユーザ端末装置Ｇ（２０２Ｇ）は、表示装置１０により開設された仮想の会議室（電子会議システム１）を発見できる。
【００８４】
ステップＳ２０２において、ユーザ端末装置Ｇ（２０２Ｇ）は、表示装置１０に仮想の会議室（電子会議システム１）へ入室する要求を行う。
【００８５】
ステップＳ２０３では、表示装置１０は、ユーザ端末装置Ｇ（２０２Ｇ）に、入室を許可する旨の通知を送信する。
【００８６】
そして、ステップＳ２０４において、表示装置１０は、既に仮想の会議室（電子会議システム１）に入室していた他の情報端末装置（司会者端末装置２０１及び他のユーザ端末装置２０２ａ、２０２ｂ）へ新しい入室者があった旨の通知を送信する。
【００８７】
上記のステップＳ２０１〜２０４により、ユーザ端末装置Ｇ（２０２Ｇ）は、仮想の会議室（電子会議システム１）に入室することができ、表示装置１０や他の情報端末装置（司会者端末装置２０１及び他のユーザ端末装置２０２ａ、２０２ｂ）とＸＭＰＰに準拠した通信を行うことができる。
【００８８】
次に、仮想の会議室（電子会議システム１）に提示されたデータが、表示装置１０に表示されるまでの手順について説明する。ここでは、一例として、ユーザ端末装置Ｇ（２０２Ｇ）が仮想の会議室に提示する情報（発言など）が、表示装置１０に表示される手順について説明する。図１１は、本発明の実施形態における情報端末装置から提供される情報が表示部に表示される手順を説明するための動作図である。なお、初めに、ユーザ端末装置Ｇ（２０２Ｇ）のユーザは、たとえば、発言をすべき状態にあるもの、又は、司会者端末装置２０１のユーザからオフラインなどにて直接発言を許されているものとする。
【００８９】
ステップＳ３０１では、司会者端末装置２０１は、ユーザ端末装置Ｇ（２０２Ｇ）が仮想の会議室（電子会議システム１）にて発言をするために必要な発言用ｈｔｍｌ断片情報を作成する。ここで、司会者端末装置２０１により作成された発言用ｈｔｍｌ断片情報が表示情報に組み込まれることにより、発言者（この場合、ユーザ端末装置Ｇ（２０２Ｇ））が提示する発言（データ）を表示するための情報表示枠が、表示装置１０の表示１１の表示画面１１１に設定されることとなる。
【００９０】
また、司会者端末装置２０１は、端末制御部２４において、発言用ｈｔｍｌ断片情報が有するデータを識別するための固有のデータＩＤ（ＩＤ情報）を、他のｈｔｍｌ断片情報が有するデータに対応するデータＩＤ（ＩＤ情報）と重複しないように作成するとともに、発言用ｈｔｍｌ断片情報に格納されるデータの所有者であるユーザを示すユーザ情報や、情報端末装置２０（司会者端末装置２０１、ユーザ端末装置２０２）を使用するユーザ毎に設定され、発言用ｈｔｍｌ断片情報に対するアクセス権（すなわち、発言用ｈｔｍｌ断片情報に格納されるデータの生成や変更などを許可する否か）を示すアクセス権情報などの発言用ｈｔｍｌ断片情報のメタ情報を作成する。そして、作成したメタ情報を有する発言用ｈｔｍｌ断片情報からｈｔｍｌで記述された文書を作成する。
【００９１】
また、司会者端末装置２０１は、表示装置１０の表示部１１に表示されるデータの表示位置を示す位置情報を作成し、データＩＤ（ＩＤ情報）と、ユーザ情報と、アクセス権情報と、表示装置１０の表示部１１に表示されるデータの表示位置を示す位置情報とを、表示装置１０に送信してもよい。このようにすれば、司会者端末装置２０１を使用しているユーザは、表示装置１０の表示部１１に表示される各データの表示位置を確実且つ簡便に管理することができる。
【００９２】
ステップＳ３０２では、司会者端末装置２０１は、表示装置１０に、発言用ｈｔｍｌ断片情報を送信する。
【００９３】
ステップＳ３０３では、表示装置１０が発言用ｈｔｍｌ断片情報の構文解析を行い、構文が正しければ発言者（この場合、ユーザ端末装置Ｇ（２０２Ｇ））が発言可能とする情報表示枠を提供する。
【００９４】
ステップＳ３０４では、さらに、表示装置１０は、他の情報端末装置（司会者端末装置２０１及びユーザ端末装置Ｇ（２０２Ｇ）を含むユーザ端末装置２０２）に、Ｓ３０１にて作成されたデータＩＤ（ＩＤ情報）を含む発言用ｈｔｍｌ断片情報を送信して、表示部１１の表示画面１１１に発言者が発言可能とする情報表示枠（ここでは、ユーザ端末装置Ｇ（２０２Ｇ）の情報表示枠）を提供したことを通知する。
【００９５】
ステップＳ３０５では、ユーザ端末装置Ｇ（２０２Ｇ）が仮想の会議室（電子会議システム１）に提示する発言（データ）を端末入力部２５から入力する。ここで、端末入力部２５から入力されるデータは、データＩＤ（ＩＤ情報）で指定される発言用ｈｔｍｌ断片情報に格納されるデータである。そして、ユーザ端末装置Ｇ（２０２Ｇ）は、発言用ｈｔｍｌ断片情報に、端末入力部２５から入力されたデータを加えるべく、発言用ｈｔｍｌ断片情報を編集する。ここで、本実施形態の端末入力部２５から入力されるデータとしては、テキストデータだけではなく、音声データや、画像データ、動画データなど、ＸＭＰＰに準拠した通信に適合するｈｔｍｌにて表現されたデータであれば、そのｈｔｍｌで表現し得る全ての形式のデータの入力が可能である。
【００９６】
ステップＳ３０６では、ユーザ端末装置Ｇ（２０２Ｇ）は、編集した発言用ｈｔｍｌ断片情報を、表示装置１０に送信する。
【００９７】
ステップＳ３０７では、表示装置１０は、ユーザ端末装置Ｇ（２０２Ｇ）から受信した発言用ｈｔｍｌ断片情報の構文解析を行うとともに、受信した発言用ｈｔｍｌ断片情報に基づいて、表示情報を編集する。すなわち、表示装置１０は、アクセス権情報が示す発言用ｈｔｍｌ断片情報に対するアクセス権が付与されたユーザと、ユーザ情報が示すユーザとが一致するか否かを判定し、一致した場合には、ユーザ端末装置Ｇ（２０２Ｇ）を使用しているユーザは、発言用ｈｔｍｌ断片情報に対してアクセス権（すなわち、発言用ｈｔｍｌ断片情報が有するデータの生成や変更）が許可されていることとなり、表示装置１０の制御部１４は、受信した発言用ｈｔｍｌ断片情報に基づいて、表示情報を編集する。
【００９８】
そして、ステップＳ３０８において、表示装置１０は、編集した表示情報に基づいて、仮想の会議室における議事などを表示部１１に表示する。また、このとき、ユーザ情報とアクセス権情報とに基づいて、データＩＤ（ＩＤ情報）により識別されるデータ（すなわち、ステップＳ３０５にてユーザ端末装置Ｇ（２０２Ｇ）の端末入力部２５から入力されたデータ）が、表示装置１０の表示部１１に表示される。
【００９９】
なお、Ｓ３０１にて、司会者端末装置２０１が、表示装置の前記表示部に表示されるデータの表示位置を示す位置情報を作成し、発言用ｈｔｍｌ断片情報のメタ情報として、データＩＤ（ＩＤ情報）と、ユーザ情報と、アクセス権情報と、位置情報とを、表示装置に送信していた場合には、表示装置１０は、アクセス権情報とユーザ情報と位置情報とに基づいて、データＩＤ（ＩＤ情報）により識別されるデータを表示部１０に表示する。すなわち、表示装置１０は、データＩＤ（ＩＤ情報）により識別されるデータを、表示部１１における位置情報が示す表示位置に表示する。このようにすれば、司会者端末装置２０１を使用しているユーザは、表示装置１０の表示部１１に表示される各データの表示位置を確実且つ簡便に管理することができる。
【０１００】
このように、本実施形態における電子会議システム１では、表示装置１０の表示部１１に表示されるデータを管理する司会者端末装置２０１から、表示部１１に表示されるデータを識別するためのデータＩＤ（ＩＤ情報）と、そのデータの所有者であるユーザを示すユーザ情報と、ユーザ毎に設定され、データの生成と変更とを許可する否かを示すアクセス権情報とが、表示装置１０に送信される。そして、表示装置１０は、受信したユーザ情報とアクセス権情報とに基づいて、データＩＤ（ＩＤ情報）により識別されるデータを表示するか否かを判断して、そのデータを表示部１１に表示する。従って、データをデータＩＤ（ＩＤ情報）によって管理することができるとともに、そのデータに対して、情報端末装置２０を使用している複数のユーザそれぞれに設定されたアクセス権（すなわち、データの生成や変更が許可されているか否か）に応じて、表示装置１０の表示部１１に表示される各データをコントロールすることができる、よって、複数のユーザ間でそれぞれのアクセス権に応じた円滑なコミュニケーションを可能とすることができる。
【０１０１】
また、ユーザ端末装置２０２が、表示部１１に表示されるデータと、そのデータを識別するためのデータＩＤ（ＩＤ情報）と、そのデータの所有者であるユーザを示すユーザ情報とを、表示装置１０に送信し、表示装置１０は、ユーザ情報とアクセス権情報とに基づいて、データＩＤ（ＩＤ情報）により識別されるデータを表示部１１に表示するので、ユーザ端末装置２０１から送信されて表示部１１に表示される各データはデータＩＤ（ＩＤ情報）によって管理され、各データに対して、情報端末装置２０を使用している複数のユーザそれぞれに設定されたアクセス権（すなわち、データの生成や変更が許可されているか否か）に応じて、そのデータはコントロールされる。よって、複数のユーザ間でそれぞれのアクセス権に応じた円滑なコミュニケーションを可能となる。
【０１０２】
また、表示装置１０は、アクセス権情報が示すデータの生成と変更とが許可されたユーザと、ユーザ情報が示すユーザとが一致するとき、データＩＤ（ＩＤ情報）により識別されるデータを表示部１１に表示するので、データＩＤ（ＩＤ情報）により識別されるデータの所有者であるユーザと、そのデータに対するアクセス権（すなわち、データの生成や変更が許可されているか否か）を有するユーザとが一致した場合のみ、そのデータを表示部１１に表示することができる。よって、複数のユーザ間でそれぞれのアクセス権に応じた円滑なコミュニケーションを可能とすることができる。
【０１０３】
以上、本発明を実施の形態をもとに説明した。この実施の形態は例示であり、その各構成要素や各処理の組み合わせに色々な変形例は可能であることは、本発明の範囲にあることは当業者に理解されるところである。
【０１０４】
たとえば、上述の実施形態では、表示装置１０と１又は複数の情報端末装置２０とを含む複数の情報端末装置がＸＭＰＰに準拠した通信を行う構成としたが、本発明はこれに限定されるものではない。ＸＭＰＰに類似するプロトコル（通信規約）に準拠した通信を行うものとしてもよい。
【０１０５】
また、上述の実施形態において、表示装置１０及び情報端末装置２０間で送受信される拡張表示情報は、メタ情報を拡張したｈｔｍｌファイルであってもよい。ここで、メタ情報を拡張したｈｔｍｌファイルとは、ＸＭＰＰに準拠した通信に適合するｈｔｍｌにて表現し得る形式のデータ（テキストデータ、画像データ、音声データ、動画データなど）と、そのデータに関連する情報（属性情報）であるメタ情報とを有するものであり、そのメタ情報には、データＩＤ（ＩＤ情報）や位置情報などのＸＭＰＰによるメッセージングに対応する属性情報が含まれる。このように、メタ情報として、ＸＭＰＰによるメッセージングに対応する属性情報（データＩＤ（ＩＤ情報）、位置情報）を利用することを拡張と呼んでいる。このような構成とすることによって、ＸＭＰＰに準拠した通信に適合するｈｔｍｌにて表現されたデータであれば、そのｈｔｍｌで表現し得る全ての形式のデータ（テキストデータ、画像データ、音声データ、動画データなど）の受信することができるとともに、その組み合わせにも制限を受けることがない。
【産業上の利用可能性】
【０１０６】
本発明は、例えば、家庭や職場、学校などのコミュニティ内で自由に情報の書込／読込及び閲覧が可能な複数の人がリアルタイムに会話することができるチャットシステムや複数のユーザが仮想の会議室において議論や意見の提示をすることができる電子会議システムなどに利用することができる。
【符号の説明】
【０１０７】
１        電子会議システム（マルチユーザ通信システム）
１０      表示装置
１１      表示部
１１１    表示画面
１２      通信部
１３      記憶部
１４      制御部
２０      情報端末装置
２０１    司会者端末装置
２０２，２０２ａ，２０２ｂ，２０２Ｇ  ユーザ端末装置
２１      端末表示部（表示部）
２２      端末通信部（通信部）
２３      端末記憶部（記憶部）
２４      端末制御部（制御部）
２５      端末入力部（入力部）
【図３】
2011242869.tif 000003
【図４】
2011242869.tif 000004
【図５】
2011242869.tif 000005
【図６】
2011242869.tif 000006
【図７】
2011242869.tif 000007
【図８】
2011242869.tif 000008
【図１】
2011242869.tif 000009
【図２】
2011242869.tif 000010
【図９】
2011242869.tif 000011
【図１０】
2011242869.tif 000012
【図１１】
2011242869.tif 000013